(57)【特許請求の範囲】
【請求項１】
モジュール基板の一端が挿入される開口部が形成される凹部を内部に有する接続端部と、
前記接続端部の外周面に設けられ、前記モジュール基板の電極部に接続される複数のコンタクト端子と、
前記接続端部の凹部内に形成され、前記モジュール基板の一端の被係合部に係合されることにより、前記モジュール基板の電極部に対し前記コンタクト端子を位置決める位置決め部と、備え、
前記凹部の両側部が外方に向けて開放し、前記モジュール基板の一端面の両端が前記接続端部で覆われず、
前記モジュール基板の前記一端面の両端が、前記凹部の円弧部に係合され、該モジュール基板の該一端面の幅が、該モジュール基板の前記電極部の幅に比して狭いことを特徴とするトランシーバモジュール用プラグコネクタ。
【請求項２】
前記位置決め部は、前記凹部内に挿入された前記モジュール基板の一端に形成される切欠部に嵌合される突起部であることを特徴とする請求項１記載のトランシーバモジュール用プラグコネクタ。
【請求項３】
前記位置決め部は、前記凹部内に挿入された前記モジュール基板の一端に形成される突起部が嵌合される開口部であることを特徴とする請求項１記載のトランシーバモジュール用プラグコネクタ。
【請求項４】
前記接続端部は、前記コンタクト端子の端よりも先端側に、一対の面取部を有することを特徴とする請求項１記載のトランシーバモジュール用プラグコネクタ。
【発明の詳細な説明】
【技術分野】
【０００１】
本発明は、トランシーバモジュール用プラグコネクタに関する。
【背景技術】
【０００２】
光通信システムにおいては、光ファイバ、かつ、カッパケーブル、および、光コネクタ等により伝送される光信号をマザーボードに伝送するためにトランシーバモジュールが実用に供されている。光通信システムの筐体の操作側端面には、複数のトランシーバモジュールアセンブリのトランシーバモジュールとしての光モジュールの端部が、それぞれ、突出するように、トランシーバモジュールアセンブリが配されている。トランシーバモジュールアセンブリは、例えば、特許文献１にも示されるように、光モジュールおよび光モジュール用リセプタクルアセンブリを含んで構成されている。光モジュールは、外郭部を形成する金属製のアッパケースおよびロアプレートと、アッパケースとロアプレートとの間に形成される収容空間における所定位置に位置決めされるモジュール基板とを主な要素として含んで構成されている。
【０００３】
モジュール基板の一方の端部には、特許文献１における図６Ａおよび６Ｂに示されるように、電極部を有しているプラグコネクタが接続されている。プラグコネクタの電極部の表面および裏面には、それぞれ、複数のコンタクトパッドが共通の平面上に所定の間隔で互いに平行に配列されている。モジュール基板の一方の端部の両側部は、それぞれ、プラグコネクタの両側面部に形成されるガイド部に挿入され固定されることによりプラグコネクタに対し位置規制されている。プラグコネクタのガイド部に連なる両側面部には、それぞれ、爪部が形成されている。その各爪部は、アッパケースの基板支持壁における溝の周縁に係止されている。
【０００４】
トランシーバモジュールは、近年、光通信システムの筐体の操作側端面全体にできるだけ多く配列された状態で、光通信システムの筐体内に搭載されることが要望されている。
【先行技術文献】
【特許文献】
【０００５】
【特許文献１】米国特許第８７１４８３９号公報
【発明の概要】
【発明が解決しようとする課題】
【０００６】
しかしながら、同一のトランシーバモジュールを光通信システムの筐体の操作側端面に横一列に配列することは、筐体の操作側端面における配列方向の幅寸法が、所定の長さに設定されているので配列可能なトランシーバモジュールの個数にも限界がある。
【０００７】
このような場合、配列可能なトランシーバモジュールの個数を増大させるべく、トランシーバモジュールにおける上述の配列方向に沿った幅寸法を縮小化することも考えられる。しかし、上述したようなモジュール基板の一方の端部の両側部が、それぞれ、プラグコネクタの両側面部に形成されるガイド部に挿入され固定されることにより位置規制される構造にあってはトランシーバモジュールの縮小化を図ることは容易ではない。
【０００８】
以上の問題点を考慮し、本発明は、トランシーバモジュール用プラグコネクタであって、複数個のトランシーバモジュールにおける配列方向に沿ったトランシーバモジュールアセンブリの幅寸法を縮小化することができるトランシーバモジュール用プラグコネクタを提供することを目的とする。
【課題を解決するための手段】
【０００９】
上述の目的を達成するために、本発明に係るトランシーバモジュール用プラグコネクタは、モジュール基板の一端が挿入される開口部が形成される凹部を内部に有する接続端部と、接続端部の外周面に設けられ、モジュール基板の電極部に接続される複数のコンタクト端子と、接続端部の凹部内に形成され、モジュール基板の一端の被係合部に係合されることにより、モジュール基板の電極部に対しコンタクト端子を位置決める位置決め部と、備え、凹部の両側部が外方に向けて開放し、モジュール基板の一端面の両端が接続端部で覆われず、モジュール基板の一端面の両端が、凹部の円弧部に係合され、モジュール基板の一端面の幅が、モジュール基板の電極部の幅に比して狭いことを特徴とする。位置決め部は、凹部内に挿入されたモジュール基板の一端に形成される切欠部に嵌合される突起部であってもよく、また、位置決め部は、凹部内に挿入されたモジュール基板の一端に形成される突起部が嵌合される開口部であってもよい。
【００１０】
接続端部は、コンタクト端子の端よりも先端側に、一対の面取部を有するものでもよい。
【発明の効果】
【００１１】
本発明に係るトランシーバモジュール用プラグコネクタによれば、位置決め部が、接続端部の凹部内に形成され、モジュール基板の一端の被係合部に係合されることにより、モジュール基板の電極部に対しコンタクト端子を位置決めるので従来の構造に用いられるガイド部が不要とされるので複数個のトランシーバモジュールにおける配列方向に沿ったトランシーバモジュールアセンブリの幅寸法を縮小化することができる。
【図面の簡単な説明】
【００１２】
【図１】本発明に係るトランシーバモジュール用プラグコネクタの一例をモジュール基板とともに拡大して示す斜視図である。
【図２】本発明に係るトランシーバモジュール用プラグコネクタの一例を、接続されたモジュール基板とともに拡大して示す斜視図である。
【図３】図２に示される例における断面図である。
【図４】本発明に係るトランシーバモジュール用プラグコネクタの一例の外観を、上方から見て示す斜視図である。
【図５】本発明に係るトランシーバモジュール用プラグコネクタの一例の外観を、下方から見て示す斜視図である。
【図６】図４に示される例における背面図である。
【発明を実施するための形態】
【００１３】
図２は、本発明に係るトランシーバモジュール用プラグコネクタの一例を、モジュール基板の一端部と共に示す。
【００１４】
トランシーバモジュールの一例としての光モジュールは、例えば、外郭部を形成する金属製のアッパケースおよびロアケース（不図示）と、アッパケースとロアケースとの間に形成される収容空間おける所定位置に位置決めされるモジュール基板１８およびプラグコネクタ１６（図２参照）とを主な要素として含んで構成されている。アッパケースおよびロアケースの他方の端面には、光コネクタが接続される複数のポートが形成されている。
【００１５】
モジュール基板１８の接続端部としての一端部は、図２に拡大されて示されるように、プラグコネクタ１６の内側に挿入され接続されている。モジュール基板１８の一端部における略中央部は、図１に拡大されて示されるように、モジュール基板１８のプラグコネクタ１６に対する位置決め部としての切欠部（溝部）１８ＰＨが形成されている。切欠部１８ＰＨの開口端は、後述するプラグコネクタ１６内の突起部１６ＰＰに向き合いモジュール基板１８の一端を貫通している。モジュール基板１８の一端部における両側部には、それぞれ、逃げ部１８ＥＲおよび１８ＥＬが形成されている。モジュール基板１８の切欠部１８ＰＨの閉端部に対し離隔する方向に所定距離ＤＡ離隔した位置には、複数のコンタクトパッド１８Ｅｉ（ｉ＝１〜ｎ，ｎは正の整数）からなる電極部１８ＥＥが表面および裏面に向き合って形成されている。コンタクトパッド１８Ｅｉは、モジュール基板１８のプラグコネクタ１６に対する挿入方向に対し略直交する方向に一列に所定の間隔、例えば、０．５ｍｍ間隔で配列されている。
【００１６】
プラグコネクタ１６は、例えば、樹脂材料で一体に成形され、図１に拡大されて示されるように、接続端部１６ＰＥと、接続端部１６ＰＥに連なりモジュール基板１８の一端部を支持する基板支持部と、接続端部１６ＰＥおよび基板支持部に支持される複数のコンタクト端子１６ＥＡｉおよび１６ＥＢｉ（ｉ＝１〜ｎ，ｎは正の整数）と、を含んで構成されている。
【００１７】
接続端部１６ＰＥは、例えば、アッパケースおよびロアプレートの開口端部から突出し、図示が省略されるトランシーバモジュール用リセプタクルアセンブリを構成するホストコネクタのスロットに挿入される。接続端部１６ＰＥは、図３に拡大されて示されるように、上述のモジュール基板１８の一端が挿入される凹部１６Ｒをその内部に有している。凹部１６Ｒは、図６に示されるように、基板支持部の開口端部１６ＰＳに連通している。また、凹部１６Ｒにおける両側部は、外方に向けて開放している。凹部１６Ｒの一部を形成する閉端部には、モジュール基板１８の切欠部１８ＰＨに対応した略中央位置に突起部１６ＰＰが形成されている。位置決め部としての突起部１６ＰＰおよび切欠部１８ＰＨは、予め、各コンタクト端子１６ＥＡｉおよび１６ＥＢｉを所定のコンタクトパッド１８Ｅｉに対応させるように設定されている。また、凹部１６Ｒには、図６に示されるように、突起部１６ＰＰから側部に向けて離隔した位置に、モジュール基板１８の姿勢を接続端部１６ＰＥの上面に対し平行に保つようにモジュール基板１８の端を挟持し位置決めするクラッシュリブ１６ＣＲが形成されている。
【００１８】
接続端部１６ＰＥの両側面は、それぞれ、モジュール基板１８の両側面と共通の平面上に配置されている。接続端部１６ＰＥの外周部の最先端には、図４および図５に拡大されて示されるように、プラグコネクタ１６を上述のホストコネクタのスロットに誘い込む役割を果たす一対の面取り１６ＣＨが、コンタクト端子１６ＥＡｉおよび１６ＥＢｉの配列方向に沿って一方の側面から他方の側面まで形成されている。面取り１６ＣＨは、例えば、約Ｃ０．５程度に設定されている。接続端部１６ＰＥの外周部の両側面にも、面取り１６ＣＨよりも小なる所定の面取りが施されている。これにより、接続端部１６ＰＥの最先端の断面形状が、略尖頭状となる。従って、プラグコネクタ１６を誘い込む面取部をホストコネクタのスロットの周縁に形成する必要がないのでその分だけホストコネクタにおけるプラグコネクタ１６の着脱方向に沿った寸法を短縮することが可能となる。
【００１９】
プラグコネクタ１６の基板支持部は、図６に拡大されて示されるように、挿入されるモジュール基板１８の一端が通過する開口端部１６ＰＳを有している。基板支持部の上面には、アッパケースおよびロアプレート内の基板支持壁（不図示）に当接される一対の位置決め部１６Ａが互いに離隔して形成されている。また、基板支持部の下面には、図５および図６に示されるように、アッパケースおよびロアプレート内の基板支持壁（不図示）に当接される細長いばね部１６Ｂが形成されている。
【００２０】
コンタクト端子１６ＥＡｉは、基板支持部の一対の位置決め部１６Ａに向き合う接続端部１６ＰＥの上面に、上述のコンタクトパッド１８Ｅｉに対応する所定の間隔をもって配置されている。コンタクト端子１６ＥＡｉは、例えば、電源用端子、信号用コンタクト端子および接地用コンタクト端子から構成されている。例えば、隣接する一対の信号用コンタクト端子は、接地用コンタクト端子相互間に配されている。コンタクト端子１６ＥＡｉは、コンタクトパッド１８Ｅｉに半田付け固定される固定端子部と、ホストコネクタのコンタクト端子の接点部に当接される接点部とを有している。
【００２１】
コンタクト端子１６ＥＢｉは、基板支持部のばね部１６Ｂに向き合う接続端部１６ＰＥの下面に、上述のコンタクトパッド１８Ｅｉに対応する所定の間隔をもって配置されている。コンタクト端子１６ＥＢｉは、例えば、電源用端子、信号用コンタクト端子および接地用コンタクト端子から構成されている。例えば、隣接する一対の信号用コンタクト端子は、接地用コンタクト端子相互間に配されている。コンタクト端子１６ＥＢｉは、コンタクトパッド１８Ｅｉに半田付け固定される固定端子部と、ホストコネクタのコンタクト端子の接点部に当接される接点部とを有している。
【００２２】
斯かる構成において、図３に拡大されて示されるように、モジュール基板１８の一端部が、プラグコネクタ１６の凹部１６Ｒに挿入され接続される場合、モジュール基板１８の一端面が凹部１６Ｒを形成する内周面に当接されるとき、切欠部１８ＰＨには、プラグコネクタ１６の凹部１６Ｒの周縁に形成される突起部１６ＰＰが嵌合される。その際、モジュール基板１８の一端面の両端が、凹部１６Ｒの円弧部１６ＲＣに係合される。これにより、モジュール基板１８の各コンタクトパッド１８Ｅｉに対しコンタクト端子１６ＥＡｉおよび１６ＥＢｉが位置決めされることとなる。従って、モジュール基板１８は、従来のようなプラグコネクタの構造に用いられるような、ガイド部がプラグコネクタにおいて不要とされるのでプラグコネクタ１６におけるコンタクト端子１６ＥＡｉおよび１６ＥＢｉの配列方向に沿った幅寸法が縮小化されることとなる。
【００２３】
なお、上述の例においては、モジュール基板１８のプラグコネクタ１６に対する位置決め部としての切欠部（溝部）１８ＰＨが形成され、プラグコネクタ１６の凹部１６Ｒの周縁に突起部１６ＰＰが形成されているが、斯かる例に限られることなく、例えば、モジュール基板１８のプラグコネクタ１６に対する位置決め部としての突起部が形成され、プラグコネクタ１６の凹部１６Ｒの周縁にその突起部が嵌合される開口部が形成されるように構成されてもよい。
【符号の説明】
【００２４】
１６    プラグコネクタ
１６ＰＰ    突起部
１６ＰＥ    接続端部
１８    モジュール基板
１８ＰＨ    切欠部
１８ＥＬ    電極部
【図１】
0006523802.tif 000002
【図２】
0006523802.tif 000003
【図３】
0006523802.tif 000004
【図４】
0006523802.tif 000005
【図５】
0006523802.tif 000006
【図６】
0006523802.tif 000007